【手続補正書】
【提出日】平成24年6月29日(2012.6.29)
【手続補正１】
【補正対象書類名】特許請求の範囲
【補正対象項目名】全文
【補正方法】変更
【補正の内容】
【特許請求の範囲】
【請求項１】
画像データを取得する取得手段と、
前記取得した画像データを補正する第１の補正手段と、
前記第１の補正手段により補正された画像データをさらに補正する第２の補正手段と、
画像データに基づく画像を投影面に投影する投影手段と、
前記投影面上の色を測定する測色手段と、
制御手段とを有し、
前記制御手段は、前記第１の補正手段及び前記第２の補正手段により補正されない第１の所定画像を投影するように前記投影手段を制御し、前記第１の所定画像が投影された前記投影面上の色を測定する第１の測定を実行するように前記測色手段を制御し、
前記制御手段は、第１の測定の測定結果のＲＧＢ比率が、前記第１の所定画像のＲＧＢ比率と近づくパラメータで、第２の所定画像を補正するように前記第１の補正手段を制御し、前記第１の補正手段により補正され、前記第２の補正手段により補正されない前記第２の所定画像を投影するように前記投影手段を制御し、前記第２の所定画像が投影された前記投影面上の色を測定する第２の測定を実行するように前記測色手段を制御し、
前記制御手段は、前記第２の測定の測定結果に応じて、前記第２の補正手段に入力された画像データのＲＧＢ値の変換テーブルを決定することを特徴とする画像表示装置。
【請求項２】
前記制御手段は、前記第２の測定結果に応じて、前記画像表示装置の配置された環境における光源の種類を判定することを特徴とする請求項１に記載の画像表示装置。
【請求項３】
前記制御手段は、前記画像表示装置の配置された環境における光源の種類に応じて、前記変換テーブルを決定することを特徴とする請求項２に記載の画像表示装置。
【請求項４】
前記制御手段は、前記第１の測定の測定結果のＲＧＢ比率が、前記第１の所定画像のＲＧＢ比率と近づくガンマで、前記第２の所定画像を補正するように前記第１の補正手段を制御することを特徴とする請求項１乃至３のいずれか１項に記載の画像表示装置。
【請求項５】
前記制御手段は、前記第１の測定の測定結果のＲＧＢ比率が、前記第１の所定画像のＲＧＢ比率と近づくゲインで、前記第２の所定画像を補正するように前記第１の補正手段を制御することを特徴とする請求項１乃至３のいずれか１項に記載の画像表示装置。
【請求項６】
前記制御手段は、前記第１の所定画像として白色の画像を投影するように前記投影手段を制御することを特徴とする請求項１乃至５のいずれか１項に記載の画像表示装置。
【請求項７】
前記制御手段は、前記第１の測定の測定結果のＲＧＢ比率が、理想白色のＲＧＢ比率と近づくパラメータで、前記第２の所定画像を補正するように前記第１の補正手段を制御することを特徴とする請求項６記載の画像表示装置。
【請求項８】
前記制御手段は、前記取得手段により取得した画像データを、前記第１の補正手段及び前記第２の補正手段で補正させ、
前記制御手段は、前記補正後の画像データに基づく画像を前記投影面上に投影するように、前記投影手段を制御することを特徴とする請求項１乃至７のいずれか１項に記載の画像表示装置。
【請求項９】
投射型のプロジェクタにより画像を表示する画像表示装置の制御方法であって、
取得手段が、画像データを取得する取得工程と、
第１の補正手段が、前記取得した画像データを補正する第１の補正工程と、
第２の補正手段が、前記第１の補正工程で補正された画像データをさらに補正する第２の補正工程と、
投影手段が、画像データに基づく画像を投影面に投影する投影工程と、
測色手段が、前記投影面上の色を測定する測色工程と、
制御手段が、（ｉ）前記第１の補正工程及び前記第２の補正工程で補正されない第１の所定画像を投影するように前記投影工程を制御し、前記第１の所定画像が投影された前記投影面上の色を測定する第１の測定を実行するように前記測色工程を制御し、
（ｉｉ）前記第１の測定の測定結果のＲＧＢ比率が、前記第１の所定画像のＲＧＢ比率と近づくパラメータで、第２の所定画像を補正するように前記第１の補正工程を制御し、前記第１の補正工程で補正され、前記第２の補正工程で補正されない前記第２の所定画像を投影するように前記投影工程を制御し、前記第２の所定画像が投影された前記投影面上の色を測定する第２の測定を実行するように前記測色工程を制御し、
（ｉｉｉ）前記第２の測定の測定結果に応じて、前記第２の補正工程に入力された画像データのＲＧＢ値の変換テーブルを決定する制御工程と、
を有することを特徴とする画像表示装置の制御方法。
【請求項１０】
前記制御工程は、前記第２の測定結果に応じて、前記画像表示装置の配置された環境における光源の種類を判定することを特徴とする請求項９に記載の制御方法。
【請求項１１】
前記制御工程は、前記画像表示装置の配置された環境における光源の種類に応じて、前記変換テーブルを決定することを特徴とする請求項１０に記載の制御方法。
【請求項１２】
前記制御工程は、前記第１の測定の測定結果のＲＧＢ比率が、前記第１の所定画像のＲＧＢ比率と近づくガンマで、前記第２の所定画像を補正するように前記第１の補正工程を制御することを特徴とする請求項９乃至１１のいずれか１項に記載の制御方法。
【請求項１３】
前記制御工程は、前記第１の測定の測定結果のＲＧＢ比率が、前記第１の所定画像のＲＧＢ比率と近づくゲインで、前記第２の所定画像を補正するように前記第１の補正工程を制御することを特徴とする請求項９乃至１１のいずれか１項に記載の制御方法。
【請求項１４】
前記制御工程は、前記第１の所定画像として白色の画像を投影するように前記投影工程を制御することを特徴とする請求項９乃至１３のいずれか１項に記載の制御方法。
【請求項１５】
前記制御工程は、前記第１の測定の測定結果のＲＧＢ比率が、理想白色のＲＧＢ比率と近づくパラメータで、前記第２の所定画像を補正するように前記第１の補正工程を制御することを特徴とする請求項１４記載の制御方法。
【請求項１６】
前記制御工程は、前記取得工程で取得した画像データを、前記第１の補正工程及び前記第２の補正工程で補正させ、
前記制御工程は、前記補正後の画像データに基づく画像を前記投影面上に投影するように、前記投影工程を制御することを特徴とする請求項９乃至１５のいずれか１項に記載の制御方法。
【請求項１７】
コンピュータを、請求項１乃至８のいずれか１項に記載の画像表示装置として機能させるためのプログラム。
【手続補正２】
【補正対象書類名】明細書
【補正対象項目名】００１１
【補正方法】変更
【補正の内容】
【００１１】
上記目的を達成するために本発明の一態様に係る画像表装置は以下のような構成を備える。即ち、
画像データを取得する取得手段と、
前記取得した画像データを補正する第１の補正手段と、
前記第１の補正手段により補正された画像データをさらに補正する第２の補正手段と、
画像データに基づく画像を投影面に投影する投影手段と、
前記投影面上の色を測定する測色手段と、
制御手段とを有し、
前記制御手段は、前記第１の補正手段及び前記第２の補正手段により補正されない第１の所定画像を投影するように前記投影手段を制御し、前記第１の所定画像が投影された前記投影面上の色を測定する第１の測定を実行するように前記測色手段を制御し、
前記制御手段は、第１の測定の測定結果のＲＧＢ比率が、前記第１の所定画像のＲＧＢ比率と近づくパラメータで、第２の所定画像を補正するように前記第１の補正手段を制御し、前記第１の補正手段により補正され、前記第２の補正手段により補正されない前記第２の所定画像を投影するように前記投影手段を制御し、前記第２の所定画像が投影された前記投影面上の色を測定する第２の測定を実行するように前記測色手段を制御し、
前記制御手段は、前記第２の測定の測定結果に応じて、前記第２の補正手段に入力された画像データのＲＧＢ値の変換テーブルを決定することを特徴とする。